(57)【要約】  梱包材（１）は、洗濯機（Ａ）を梱包するための部材である。梱包材（１）は、収容部（１００）と、保護部材（３００）とを備える。収容部（１００）は、洗濯機（Ａ）を収容する。保護部材（３００）は、収容部（１００）と洗濯機（Ａ）との間に設置される。保護部材（３００）は、パッド部（３１０）と、支柱部（３２０）とを有する。パッド部（３１０）は、洗濯機（Ａ）の上部に載置される。支柱部（３２０）は、パッド部（３１０）と洗濯機（Ａ）が載置される第１底パッド（４１１）との間に介在する。支柱部（３２０）がパッド部（３１０）に固定され、又は、支柱部（３２０）とパッド部（３１０）とが一体である。
2019198317.tif 000002
【特許請求の範囲】
【請求項１】
被梱包物を梱包するための梱包材であって、
前記被梱包物を収容する収容部と、
前記収容部と前記被梱包物との間に設置される保護部材と
を備え、
前記保護部材は、
前記被梱包物の上部に載置されるパッド部と、
前記パッド部と前記被梱包物が載置される載置部との間に介在する支柱部と
を有し、
前記支柱部が前記パッド部に固定され、又は、前記支柱部と前記パッド部とが一体である、梱包材。
【請求項２】
前記パッド部は、第１端部と、第２端部とを有し、
前記第１端部は、前記パッド部のうち第１方向の一方側の端部であり、
前記第２端部は、前記パッド部のうち前記第１方向の他方側の端部であり、
前記支柱部は、前記第２端部から第２方向に突出する先端部を有し、
前記第２方向は、前記第１方向に対して垂直な方向を示す、請求項１に記載の梱包材。
【請求項３】
前記パッド部の第１端部が、前記被梱包物に載置され、
前記支柱部の先端部が、前記載置部に載置される、請求項２に記載の梱包材。
【請求項４】
被梱包物を梱包するための梱包材であって、
前記被梱包物を収容する収容部と、
前記収容部と前記被梱包物との間に設置される保護部材と
を備え、
前記保護部材は、
前記被梱包物の上部に載置されるパッド部と、
前記パッド部と前記被梱包物が載置される載置部との間に介在する支柱部と
を有し、
前記収容部は、
壁部と、
前記壁部で囲まれた収容空間と、
前記壁部を貫通する孔部と、
前記孔部の縁部に支点を有し、前記支点に対して折り曲げ可能な折り曲げ部と
を有し、
前記支柱部が前記収容空間の定位置に位置する状態で、前記孔部の少なくとも一部が前記支柱部と対向する、梱包材。
【請求項５】
前記支点は、前記孔部の縁部のうちの上部に位置し、
前記折り曲げ部は、第１位置と、第２位置とに遷移可能であり、
前記第１位置は、前記折り曲げ部が前記収容空間内へ折り曲げられた位置を示し、
前記第２位置は、前記折り曲げ部が前記孔部を閉塞する位置を示す、請求項４に記載の梱包材。
【請求項６】
前記支点は、前記孔部の縁部のうちの下部に位置し、
前記折り曲げ部は、第３位置と、第４位置とに遷移可能であり、
前記第３位置は、前記折り曲げ部が前記孔部と対向しつつ、前記収容空間内へ折り曲げられた位置を示し、
前記第４位置は、前記折り曲げ部が前記孔部と対向することなく、前記収容空間内へ折り曲げられた位置を示す、請求項４に記載の梱包材。
【請求項７】
請求項１から請求項３のいずれか１項に記載の前記保護部材と、
請求項４から請求項６のいずれか１項に記載の前記収容部と
を備える、梱包材。
【発明の詳細な説明】
【技術分野】
【０００１】
本発明は、梱包材に関する。
【背景技術】
【０００２】
特許文献１に記載の梱包材は、リブと、下部包装体とを備える。リブは、水槽の外底面より下方に設けられる。水槽は、洗濯機の外箱の内部に揺動可能に支持される。下部包装体は、袋により構成される。袋は、空気が注入されることにより膨らむ。袋は、洗濯機の外箱内面とリブとの間に介在する。
【先行技術文献】
【特許文献】
【０００３】
【特許文献１】特許２０００−１２８２７３号公報
【発明の概要】
【発明が解決しようとする課題】
【０００４】
梱包材は、洗濯機の上部にパッド部を載置し、パッド部を支柱部で支持する場合がある。この場合、作業者が支柱部を設置し忘れると、パッド部を介して洗濯機に過大な負荷がかかるおそれがある。【０００５】
本発明は、作業者が支柱部を設置し忘れることを抑制することができる梱包材を提供することを目的としている。
【課題を解決するための手段】
【０００６】
本発明の第１の局面によれば、梱包材は、被梱包物を梱包するための部材である。梱包材は、収容部と、保護部材とを備える。収容部は、前記被梱包物を収容する。保護部材は、前記収容部と前記被梱包物との間に設置される。前記保護部材は、パッド部と、支柱部とを有する。パッド部は、前記被梱包物の上部に載置される。支柱部は、前記パッド部と前記被梱包物が載置される載置部との間に介在する。前記支柱部が前記パッド部に固定され、又は、前記支柱部と前記パッド部とが一体である。
【発明の効果】
【０００７】
本発明によれば、作業者が支柱部を設置し忘れることを抑制することができる。
【図面の簡単な説明】
【０００８】
【図１】第１実施形態の梱包材の斜視図である。
【図２】被収容ユニットの斜視図である。
【図３】収容部の斜視図である。
【図４】保護部材の第１の斜視図である。
【図５】保護部材と被収容ユニットとが収容部に収容された状態を示す第１の斜視図である。
【図６】（ａ）は収容部の斜視図である。（ｂ）は収容部の平面図である。
【図７】（ａ）は収容部の第１の断面図である。（ｂ）は収容部の第２の断面図である。
【図８】保護部材の第２の斜視図である。
【図９】保護部材と被収容ユニットとが収容部に収容された状態を示す第２の斜視図である。
【図１０】（ａ）は収容部の第３の断面図である。（ｂ）は収容部の第４の断面図である。
【図１１】（ａ）は第２実施形態及び第３実施形態の孔部の位置を示す正面図である。（ｂ）は第２実施形態及び第３実施形態の孔部の位置の変形例を示す正面図である。
【発明を実施するための形態】
【０００９】
本発明の実施形態について、図面を参照しながら説明する。なお、図中、同一又は相当部分については同一の参照符号を付して説明を繰り返さない。
【００１０】
［第１実施形態］
図１を参照して、本発明の第１実施形態の梱包材１について説明する。図１は、第１実施形態の梱包材１の斜視図である。
【００１１】
梱包材１は、洗濯機Ａを梱包するための部材である。洗濯機Ａは、縦型の洗濯機である。洗濯機Ａは、本発明の被梱包物の一例である。なお、被梱包物は、洗濯機Ａに限定されず、梱包可能な物体であればよい。
【００１２】
梱包材１は、収容部１００と、蓋部２００と、一対の保護部材３００と、底部４００とを備える。
【００１３】
収容部１００は、洗濯機Ａを収容する。蓋部２００は、収容部１００の上蓋として機能する。
【００１４】
一対の保護部材３００の各々は、洗濯機Ａに対して加わる外力を緩和する。一対の保護部材３００の各々は、収容部１００と、洗濯機Ａとの間に設置される。詳細には、収容部１００に洗濯機Ａが収容された状態で、一対の保護部材３００の各々が、収容部１００と洗濯機Ａとの間に設置される。
【００１５】
底部４００には、洗濯機Ａが設置される。底部４００は、収容部１００の底として機能する。
【００１６】
次に、図２を参照して、洗濯機Ａ及び底部４００について説明する。図２は、被収容ユニットＸの斜視図である。
【００１７】
被収容ユニットＸは、底部４００と、底部４００に設置された洗濯機Ａとで構成されるユニットを示す。
【００１８】
図２に示すように、洗濯機Ａは、略四角柱の形状を有する。洗濯機Ａは、筐体Ａ１と、カバー部Ａ２と、洗濯槽（不図示）とを有する。筐体Ａ１には、洗濯槽が収容される。筐体Ａ１の上部Ａ１１には、洗濯槽の投入口が配置される。
【００１９】
カバー部Ａ２は、洗濯槽の投入口を開閉する。カバー部Ａ２は、筐体Ａ１の上部Ａ１１に設けられる。カバー部Ａ２の後部Ａ２１は、筐体Ａ１の上部Ａ１１に回動可能に取り付けられる。カバー部Ａ２の前部Ａ２２は、カバー部Ａ２の後部Ａ２１を中心に上下方向に沿って回動する。
【００２０】
カバー部Ａ２が閉じた状態のとき、カバー部Ａ２の後部Ａ２１が筐体Ａ１の上部Ａ１１に載置されているが、カバー部Ａ２の前部Ａ２２が筐体Ａ１の上部Ａ１１から離間しており、カバー部Ａ２の前部Ａ２２と筐体Ａ１の上部Ａ１１との間に隙間Ａ３が形成される。
【００２１】
洗濯機Ａは、一対の第１コーナー部Ａ５と、一対の第２コーナー部Ａ６とをさらに有する。
【００２２】
第１コーナー部Ａ５は、洗濯機Ａのうち上部の側方に位置する角部を示す。第１コーナー部Ａ５は、前後方向に沿って延びる。
【００２３】
第２コーナー部Ａ６は、洗濯機Ａのうち側部の前方に位置する角部を示す。第２コーナー部Ａ６は、上下方向に沿って延びる。
【００２４】
底部４００は、載置部４１０と、収容体４２０とを有する。
【００２５】
載置部４１０には、洗濯機Ａが載置される。載置部４１０は、洗濯機Ａの下方に設置される。載置部４１０は、例えば、発泡スチロールにより形成される。
【００２６】
載置部４１０は、一対の第１底パッド４１１と、一対の第２底パッド４１２とを有する。
【００２７】
一対の第１底パッド４１１の各々には、洗濯機Ａの前隅部Ａ４１が載置される。前隅部Ａ４１は、洗濯機Ａの下部Ａ４のうち前方側に位置する隅部である。一対の第１底パッド４１１の各々は、上向きに形成される載置面４１ａを有する。載置面４１ａは、洗濯機Ａに対して上下方向に重ならない場所に存在する。第１実施形態では、載置面４１ａは、前隅部Ａ４１の周辺に位置する。
【００２８】
第１底パッド４１１は、本発明の載置部の一例である。
【００２９】
一対の第２底パッド４１２の各々には、洗濯機Ａの後隅部Ａ４２が載置される。後隅部Ａ４２は、洗濯機Ａの下部Ａ４のうち後方側に位置する隅部である。
【００３０】
収容体４２０は、一対の第１底パッド４１１と、一対の第２底パッド４１２とを収容する。収容体４２０は、載置部４１０の下方に設置される。
【００３１】
収容体４２０は、収容空間４２１と、壁部４２２とを有する。壁部４２２は、例えば、段ボールにより形成される。壁部４２２は、上部が開放された箱状に形成される。
【００３２】
収容空間４２１は、壁部４２２で囲まれた空間である。収容空間４２１の上部は、開放されており、収容部１００の外部と連通している。収容空間４２１の前部、後部、側部、及び下部は、壁部４２２で閉塞されている。
【００３３】
収容体４２０は、収容空間４２１に載置部４１０を収容する。
【００３４】
洗濯機Ａが載置部４１０に載置されると共に、載置部４１０が収容体４２０に収容されることによって、洗濯機Ａが底部４００に設置される。その結果、被収容ユニットＸが生成される。
【００３５】
次に、図３を参照して、収容部１００について説明する。図３は、収容部１００の斜視図である。
【００３６】
図３に示すように、収容部１００は、洗濯機Ａ（図１参照）を収容する。収容部１００は、例えば、段ボールにより形成される。
【００３７】
収容部１００は、上下の両端が開放された筒形状を有する。収容部１００は、壁部１１０と、収容空間１２０とを有する。収容空間１２０は、壁部１１０で囲まれた空間である。
【００３８】
壁部１１０は、前壁部１１２と、左壁部１１３と、後壁部１１４と、右壁部１１５と、下開口部１１６と、上開口部１１７とを有する。
【００３９】
前壁部１１２、左壁部１１３、後壁部１１４、及び右壁部１１５の各々は、平板形状の部材である。前壁部１１２は、収容空間１２０の前方に位置し、収容空間１２０の前方を閉塞する。左壁部１１３は、前壁部１１２に隣接する。左壁部１１３は、収容空間１２０の左方に位置し、収容空間１２０の左方を閉塞する。後壁部１１４は、左壁部１１３に隣接する。後壁部１１４は、収容空間１２０の後方に位置し、収容空間１２０の後方を閉塞する。右壁部１１５は、前壁部１１２と後壁部１１４との間に位置する。右壁部１１５は、収容空間１２０の右方に位置し、収容空間１２０の右方を閉塞する。
【００４０】
下開口部１１６は、収容空間１２０の下方に位置する。下開口部１１６は、収容空間１２０の下部と収容部１００の外部とを連通する。
【００４１】
上開口部１１７は、収容空間１２０の上方に位置する。上開口部１１７は、収容空間１２０の上部と収容部１００の外部とを連通する。
【００４２】
蓋部２００は、収容部１００の上開口部１１７を閉塞するための部材である。蓋部２００は、例えば、段ボールにより形成される。第１実施形態では、蓋部２００は、収容部１００と同一の部材である。
【００４３】
蓋部２００は、複数の天板部２１０を有する。複数の天板部２１０の各々は、平板形状を有する。
【００４４】
前壁部１１２、左壁部１１３、後壁部１１４、及び右壁部１１５の各々の上部には、天板部２１０が折り曲げ自在に設けられる。
【００４５】
次に、図４を参照して、保護部材３００について説明する。図４は、保護部材３００の第１の斜視図である。
【００４６】
一対の保護部材３００は、互いに同じ構造を有する。以下では、一対の保護部材３００のうちの１つに着目して説明する。
【００４７】
保護部材３００は、パッド部３１０と、支柱部３２０とを有する。
【００４８】
パッド部３１０は、例えば、発泡スチロールにより形成される。
【００４９】
パッド部３１０は、前後方向に沿って延びる形状を有する。前後方向は、本発明の第１方向の一例である。
【００５０】
パッド部３１０は、洗濯機Ａの上部に載置される（図１参照）。
【００５１】
パッド部３１０は、第１端部３１ａと、第２端部３１ｂとを有する。第１端部３１ａは、パッド部３１０のうち後方側の端部である。第１端部３１ａは、本発明の第１端部の一例である。第２端部３１ｂは、パッド部３１０のうち前方側の端部である。第２端部３１ｂは、本発明の第２端部の一例である。
【００５２】
支柱部３２０は、パッド部３１０と載置部４１０との間に設置される（図１参照）。
【００５３】
支柱部３２０は、パッド部３１０を支持する。支柱部３２０は、例えば、発泡スチロールにより形成される。支柱部３２０は、上下方向に沿って延びる形状を有する。
【００５４】
支柱部３２０は、パッド部３１０に固定される。支柱部３２０は、例えば、接着剤によりパッド部３１０に固定される。なお、第１実施形態では、支柱部３２０は、パッド部３１０と別体である。しかし、本発明はこれに限定されない。支柱部３２０は、パッド部３１０と一体でもよい。
【００５５】
支柱部３２０は、基端部３２ａと、先端部３２ｂとを有する。
【００５６】
基端部３２ａは、支柱部３２０のうち上方側の端部である。基端部３２ａは、パッド部３１０の第２端部３１ｂに固定される。詳細には、基端部３２ａは、第２端部３１ｂの下端面３１ｃに固定される。
【００５７】
先端部３２ｂは、支柱部３２０のうち下方側の端部である。先端部３２ｂは、パッド部３１０の第２端部３１ｂから下方向に突出する。下方向は、本発明の第２方向の一例である。
【００５８】
続いて、図４を参照して、保護部材３００が収容部１００と洗濯機Ａとの間に設置される手順について説明する。
【００５９】
図４に示すように、収容部１００の収容空間１２０に被収容ユニットＸが収容される。
【００６０】
次に、収容部１００に被収容ユニットＸが収容されている状態で、保護部材３００が収容空間１２０に挿入される。保護部材３００は、上開口部１１７を介して収容空間１２０に挿入される。その結果、保護部材３００が、収容部１００と洗濯機Ａとの間に設置される。
【００６１】
以上、図４を参照して説明したように、支柱部３２０は、パッド部３１０に固定され、又は、パッド部３１０と一体である。従って、作業者は、保護部材３００を収容空間１２０に挿入する際、パッド部３１０を挿入する動作と支柱部３２０を挿入する動作とを別々に行う必要がなく、同時に行える。その結果、作業者が支柱部３２０を設置し忘れることを抑制することができる。
【００６２】
次に、図１及び図５を参照して、保護部材３００についてさらに説明する。図５は、保護部材３００と被収容ユニットＸとが収容部１００に収容された状態を示す第１の斜視図である。
【００６３】
図１及び図５に示すように、収容空間１２０において、パッド部３１０は、洗濯機Ａの上部に設置される。また、パッド部３１０は、収容部１００と洗濯機Ａの第１コーナー部Ａ５（図２参照）との間に設置される。
【００６４】
収容空間１２０において、パッド部３１０は、筐体Ａ１の上部Ａ１１に載置されるが、カバー部Ａ２には載置されない。また、パッド部３１０とカバー部Ａ２との間には隙間αが形成される。従って、カバー部Ａ２がパッド部３１０からの圧力を受けることを抑制できる。その結果、パッド部３１０からの圧力でカバー部Ａ２が変形することを抑制できる。
【００６５】
収容空間１２０において、パッド部３１０の第１端部３１ａが筐体Ａ１の上部Ａ１１に載置される。
【００６６】
また、収容空間１２０において、パッド部３１０の第２端部３１ｂが洗濯機Ａよりも前方に位置する。
【００６７】
以下では、パッド部３１０の第１端部３１ａが洗濯機Ａに載置され、かつ、パッド部３１０の第２端部３１ｂが洗濯機Ａに載置されないときのパッド部３１０の位置を第１定位置Ｐ１と記載する。
【００６８】
収容空間１２０において、支柱部３２０が、洗濯機Ａの前部に設置される。また、支柱部３２０は、収容部１００と洗濯機Ａの第２コーナー部Ａ６（図２参照）との間に設置される。
【００６９】
収容空間１２０において、支柱部３２０が、パッド部３１０と第１底パッド４１１との間に介在する。収容空間１２０において、支柱部３２０の先端部３２ｂが第１底パッド４１１の載置面４１ａ（図２参照）に載置される。
【００７０】
以下では、支柱部３２０がパッド部３１０と第１底パッド４１１との間に介在するときの支柱部３２０の位置を第２定位置Ｐ２と記載する。第２定位置Ｐ２は、支柱部３２０がパッド部３１０を支持するときの支柱部３２０の位置を示す。第１実施形態では、第２定位置Ｐ２において、支柱部３２０がパッド部３１０の第２端部３１ｂと第１底パッド４１１との間に介在する。
【００７１】
第２定位置Ｐ２は、本発明の定位置の一例である。
【００７２】
収容部１００に被収容ユニットＸと一対の保護部材３００とが収容された状態から、洗濯機Ａは以下の手順で梱包される。
【００７３】
図５に示すように、まず、複数の天板部２１０が収容部１００の上開口部１１７を塞ぐように折り曲げられる。このとき、複数の天板部２１０のうち隣り合う天板部２１０の一部が互いに重なるようにして、複数の天板部２１０が折り曲げられる。その結果、上開口部１１７が複数の天板部２１０で閉塞される。
【００７４】
上開口部１１７が複数の天板部２１０で閉塞されると、複数の天板部２１０がテープのような接着部材で収容部１００に固定される。そして、収容部１００、複数の天板部２１０、及び底部４００を周回するように、収容部１００、複数の天板部２１０、及び底部４００にバンド（不図示）が掛けられる。その結果、洗濯機Ａが梱包材１により梱包される。
【００７５】
以上、図１及び図５を参照して説明したように、パッド部３１０が第１定位置Ｐ１に位置すると共に、支柱部３２０が第２定位置Ｐ２に位置する状態で、洗濯機Ａが梱包される。パッド部３１０及び支柱部３２０により洗濯機Ａを保護することが可能になる。
【００７６】
［第２実施形態］
次に、図６（ａ）から図１０（ｂ）を参照して、本発明の第２実施形態の梱包材１について説明する。図６（ａ）は、収容部１００の斜視図である。図６（ｂ）は、収容部１００の平面図である。図７（ａ）は、収容部１００の第１の断面図である。図７（ｂ）は、収容部１００の第２の断面図である。
【００７７】
第２実施形態は、第２定位置Ｐ２（図１参照）に支柱部３２０が設置されているか否かを確認するための構成を収容部１００に設ける点が第１実施形態と異なる。以下では、主に第１実施形態と異なる点を説明する。
【００７８】
図６（ａ）、及び図６（ｂ）に示すように、収容部１００は、一対の孔部１３０と、一対の縁部１４０と、一対の折り曲げ部１５０とを有する。
【００７９】
以下では、一対の孔部１３０のうちの１つに着目して説明する。
【００８０】
孔部１３０は、壁部１１０を貫通する。第２実施形態では、孔部１３０は、前壁部１１２に形成される。孔部１３０は、収容空間１２０と、収容部１００の外部とを連通する。
【００８１】
縁部１４０は、壁部１１０のうち孔部１３０の周辺の部分を示す。
【００８２】
図７（ａ）に示すように、折り曲げ部１５０は、壁部１１０により折り曲げ可能に支持される。第１実施形態では、折り曲げ部１５０は壁部１１０と同一の部材である。第１実施形態では、折り曲げ部１５０は、壁部１１０と同様に、段ボールにより形成される。
【００８３】
なお、折り曲げ部１５０が、壁部１１０とは別体であり、縁部１４０に折り曲げ可能に取り付けられてもよい。この場合、折り曲げ部１５０は、段ボール以外の部材で形成されてもよい。
【００８４】
折り曲げ部１５０は、縁部１４０に支点を有する。折り曲げ部１５０は、縁部１４０に位置する支点に対して折り曲げ可能である。第２実施形態では、折り曲げ部１５０が折り曲げられる支点が、縁部１４０のうちの上部１４１に位置する。
【００８５】
折り曲げ部１５０は、第１位置Ｚ１と、第２位置Ｚ２とに遷移可能である。折り曲げ部１５０は、第１位置Ｚ１と、第２位置Ｚ２との間で遷移する際、上部１４１を中心に回動する。
【００８６】
図７（ａ）は、折り曲げ部１５０の第１位置Ｚ１を示す。図７（ａ）に示すように、第１位置Ｚ１は、折り曲げ部１５０が収容空間１２０内へ折り曲げられた位置を示す。第１位置Ｚ１において、折り曲げ部１５０は、縁部１４０の上部１４１から、略水平に沿って、又は水平方向よりも上向きに収容空間１２０内へ突出している。
【００８７】
折り曲げ部１５０が第１位置Ｚ１に位置するとき、折り曲げ部１５０は、支柱部３２０の移動経路上に配置される。支柱部３２０の移動経路は、支柱部３２０が収容空間１２０内の第２定位置Ｐ２（図１参照）に向けて移動するときの支柱部３２０の経路を示す。
【００８８】
折り曲げ部１５０が第１位置Ｚ１に位置するとき、孔部１３０が開放される。従って、収容部１００の外部から孔部１３０を介して、収容空間１２０を視認することができる。
【００８９】
折り曲げ部１５０が外力を受けていない状態で、折り曲げ部１５０が第１位置Ｚ１に位置する。
【００９０】
図７（ｂ）は、折り曲げ部１５０の第２位置Ｚ２を示す。図７（ｂ）に示すように、第２位置Ｚ２は、折り曲げ部１５０が孔部１３０を閉塞する位置を示す。第２位置Ｚ２において、折り曲げ部１５０は、縁部１４０の上部１４１から略下方向に突出している。
【００９１】
折り曲げ部１５０が第２位置Ｚ２に位置するとき、折り曲げ部１５０は、支柱部３２０の移動経路上に配置されない。
【００９２】
折り曲げ部１５０が第２位置Ｚ２に位置するとき、孔部１３０が閉塞される。従って、収容部１００の外部から孔部１３０を介して、収容空間１２０を視認することができない。理由は、収容部１００の外部から孔部１３０を視認すると、折り曲げ部１５０が見えるからである。
【００９３】
次に、図７（ａ）、図７（ｂ）、図８、及び図９を参照して、保護部材３００が収容部１００と洗濯機Ａとの間に設置される手順について説明する。図８は、保護部材３００の第２の斜視図である。図９は、保護部材３００と被収容ユニットＸとが収容部１００に収容された状態を示す第２の斜視図である。
【００９４】
なお、第２実施形態では、第１実施形態と異なり、パッド部３１０と、支柱部３２０とは互いに分離された部材である。
【００９５】
図７（ａ）、及び図８に示すように、まず、収容部１００に被収容ユニットＸが収容される。
【００９６】
次に、収容部１００に被収容ユニットＸが収容されている状態で、支柱部３２０が収容空間１２０に挿入される。支柱部３２０は、上開口部１１７を介して収容空間１２０に挿入される。このとき、支柱部３２０は、収容空間１２０内において、下方へ移動される。そして、支柱部３２０は、第２定位置Ｐ２（図１参照）に到達する。
【００９７】
支柱部３２０が第２定位置Ｐ２まで移動している際、支柱部３２０が折り曲げ部１５０に接触する。このとき、折り曲げ部１５０は、支柱部３２０から圧力を受けて、縁部１４０の上部１４１を中心にして下方へ回動する。そして、支柱部３２０は、下方へ回動することで、第１位置Ｚ１から第２位置Ｚ２に折り曲げられる。その結果、図７（ｂ）及び図９に示すように、支柱部３２０が第２定位置Ｐ２に位置する状態で、折り曲げ部１５０が第２位置Ｚ２に位置する。なお、折り曲げ部１５０は、支柱部３２０からの圧力で、第２位置Ｚ２に位置する状態を保持される。
【００９８】
支柱部３２０が第２定位置Ｐ２に設置された後、パッド部３１０が収容空間１２０に挿入される。その結果、パッド部３１０が第１定位置Ｐ１（図１参照）に配置される。
【００９９】
図９に示すように、収容部１００に被収容ユニットＸと一対の保護部材３００とが収容された状態から、蓋部２００が閉じられる。そして、収容部１００、蓋部２００、及び底部４００にバンド（不図示）が掛けられる。その結果、洗濯機Ａが梱包材１により梱包される。
【０１００】
以上、図７（ａ）、図７（ｂ）、図８、及び図９を参照して説明したように、支柱部３２０が第２定位置Ｐ２に位置するとき、折り曲げ部１５０が第２位置Ｚ２（図７（ｂ）参照）に位置する。折り曲げ部１５０が第２位置Ｚ２に位置すると、収容部１００の外部から折り曲げ部１５０が見えない。
【０１０１】
これに対し、支柱部３２０が第２定位置Ｐ２に位置しないとき、折り曲げ部１５０が第１位置Ｚ１（図７（ａ）参照）に位置する。折り曲げ部１５０が第１位置Ｚ１に位置すると、収容部１００の外部から折り曲げ部１５０が見える。
【０１０２】
従って、作業者は、収容部１００の外部から、折り曲げ部１５０が見えるか否かを確認することで、支柱部３２０が第２定位置Ｐ２に設置されているか否かを判定することができる。従って、作業者は、支柱部３２０が第２定位置Ｐ２に設置されているか否かを容易に判定することができるので、支柱部３２０を設置し忘れることを抑制することができる。
【０１０３】
［第３実施形態］
次に、図１０（ａ）から図１０（ｂ）を参照して、本発明の第３実施形態の梱包材１について説明する。図１０（ａ）は、収容部１００の第３の断面図である。図１０（ｂ）は、収容部１００の第４の断面図である。
【０１０４】
第３実施形態は、折り曲げ部１５０の支点の位置が第２実施形態と異なっている。以下では、主に第２実施形態と異なる点を説明する。
【０１０５】
図１０（ａ）に示すように、第３実施形態では、折り曲げ部１５０が折り曲げられる支点が、縁部１４０のうちの下部１４２に位置する。
【０１０６】
折り曲げ部１５０は、第３位置Ｚ３と、第４位置Ｚ４とに遷移可能である。折り曲げ部１５０は、第３位置Ｚ３と、第４位置Ｚ４との間で遷移する際、下部１４２を中心に回動する。
【０１０７】
図１０（ａ）は、折り曲げ部１５０の第３位置Ｚ３を示す。図１０（ａ）に示すように、折り曲げ部１５０が第３位置Ｚ３に位置するとき、折り曲げ部１５０が収容空間１２０内へ折り曲げられている。第３位置Ｚ３において、折り曲げ部１５０は、縁部１４０の下部１４２から水平方向よりも上向きに収容空間１２０内へ突出している。
【０１０８】
折り曲げ部１５０が第３位置Ｚ３に位置するとき、折り曲げ部１５０は、支柱部３２０の移動経路上に配置される。
【０１０９】
折り曲げ部１５０が第３位置Ｚ３に位置するとき、折り曲げ部１５０が孔部１３０と対向している。従って、収容部１００の外部から孔部１３０を介して、収容空間１２０を視認することができない。理由は、収容部１００の外部から孔部１３０を視認すると、折り曲げ部１５０が見えるからである。
【０１１０】
折り曲げ部１５０が外力を受けていない状態で、折り曲げ部１５０が第３位置Ｚ３に位置する。
【０１１１】
図１０（ｂ）は、折り曲げ部１５０の第４位置Ｚ４を示す。図１０（ｂ）に示すように、折り曲げ部１５０が第４位置Ｚ４に位置するとき、折り曲げ部１５０が収容空間１２０内へ折り曲げられている。第４位置Ｚ４において、折り曲げ部１５０は、縁部１４０の下部１４２から略下方向に突出している。
【０１１２】
折り曲げ部１５０が第４位置Ｚ４に位置するとき、折り曲げ部１５０は、支柱部３２０の移動経路上に配置されない。
【０１１３】
折り曲げ部１５０が第４位置Ｚ４に位置するとき、孔部１３０は、折り曲げ部１５０と対向することなく、開放される。従って、収容部１００の外部から孔部１３０を介して、収容空間１２０を視認することができる。
【０１１４】
次に、図１０（ａ）及び図１０（ｂ）を参照して、支柱部３２０が第２定位置Ｐ２（図１参照）に設置される手順について説明する。
【０１１５】
図１０（ａ）及び図１０（ｂ）に示すように、支柱部３２０は、収容空間１２０内において、下方へ移動される。そして、支柱部３２０は、第２定位置Ｐ２に到達する。
【０１１６】
支柱部３２０が第２定位置Ｐ２まで移動している際、支柱部３２０が折り曲げ部１５０に接触する。このとき、折り曲げ部１５０は、支柱部３２０から圧力を受けて、縁部１４０の下部１４２を中心にして下方へ回動する。そして、支柱部３２０は、下方へ回動することで、第３位置Ｚ３から第４位置Ｚ４に折り曲げられる。その結果、支柱部３２０が第２定位置Ｐ２に位置する状態で、折り曲げ部１５０が第４位置Ｚ４に位置する。なお、折り曲げ部１５０は、支柱部３２０からの圧力で、第４位置Ｚ４に位置する状態を保持される。
【０１１７】
以上、図１０（ａ）及び図１０（ｂ）を参照して説明したように、支柱部３２０が第２定位置Ｐ２に位置するとき、折り曲げ部１５０が第４位置Ｚ４（図１０（ｂ）参照）に位置する。折り曲げ部１５０が第４位置Ｚ４に位置すると、収容部１００の外部から折り曲げ部１５０が見えない。
【０１１８】
これに対し、支柱部３２０が第２定位置Ｐ２に位置しないとき、折り曲げ部１５０が第３位置Ｚ３（図１０（ａ）参照）に位置する。折り曲げ部１５０が第３位置Ｚ３に位置すると、収容部１００の外部から折り曲げ部１５０が見える。
【０１１９】
従って、作業者は、収容部１００の外部から、折り曲げ部１５０が見えるか否かを確認することで、支柱部３２０が第２定位置Ｐ２に設置されているか否かを判定することができる。その結果、作業者は、支柱部３２０が第２定位置Ｐ２に設置されているか否かを容易に判定することができるので、支柱部３２０を設置し忘れることを抑制することができる。
【０１２０】
以上、図面（図１〜図１０（ｂ））を参照しながら本発明の実施形態について説明した。但し、本発明は、上記の実施形態に限られるものではなく、その要旨を逸脱しない範囲で種々の態様において実施することが可能である（例えば、（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１２１】
（１）第１実施形態において、一対の保護部材３００（図４参照）を一つの部材で構成してもよい。この場合、例えば、一対のパッド部３１０の間に架設部材（不図示）が設けられる。架設部材は、例えば、発泡スチロールにより形成される。そして、架設部材の一端が一対のパッド部３１０のうちの１つに固定され、架設部材の他端が一対のパッド部３１０のうちの他の１つに固定される。その結果、作業者が支柱部３２０を設置し忘れることを効果的に抑制することができる。
【０１２２】
（２）第２実施形態、及び第３実施形態において、図８に示すように、パッド部３１０と、支柱部３２０とは互いに分離された部材である。しかし、本発明はこれに限定されない。図４に示すように、パッド部３１０と支柱部３２０とは、第１実施形態と同様に、互いに固定されていてもよい。また、パッド部３１０と支柱部３２０とは、一体の部材であってもよい。また、第２実施形態、及び第３実施形態において、一対の保護部材３００（図４参照）を一つの部材で構成してもよい。
【０１２３】
（３）図１１（ａ）及び図１１（ｂ）を参照して、第２実施形態及び第３実施形態の孔部１３０の位置について説明する。図１１（ａ）は、第２実施形態及び第３実施形態の孔部１３０の位置を示す正面図である。
【０１２４】
図１１（ａ）に示すように、第２実施形態及び第３実施形態において、孔部１３０は、孔部１３０は、第１所定位置Ｑ１に配置される。第１所定位置Ｑ１は、支柱部３２０が収容空間１２０の第２定位置Ｐ２（図１参照）に位置する状態で、孔部１３０の全部が支柱部３２０と対向する位置を示す。しかし、本発明はこれに限定されない。
【０１２５】
図１１（ｂ）は、第２実施形態及び第３実施形態の孔部１３０の位置の変形例を示す正面図である。
【０１２６】
図１１（ｂ）に示すように、第２実施形態及び第３実施形態において、孔部１３０は、第２所定位置Ｑ２に配置されてもよい。第２所定位置Ｑ２は、支柱部３２０が収容空間１２０の第２定位置Ｐ２に位置する状態で、孔部１３０の一部が支柱部３２０と対向する位置を示す。
【０１２７】
従って、第２実施形態及び第３実施形態において、支柱部３２０が収容空間１２０の第２定位置Ｐ２に位置する状態で、孔部１３０の少なくとも一部が支柱部３２０と対向していればよい。
【０１２８】
（４）図１１（ａ）に示すように、第２実施形態、及び第３実施形態において、折り曲げ部１５０は、正面視で楕円形状に形成される。しかし、本発明はこれに限定されない。折り曲げ部１５０の形状は、特に限定されない。折り曲げ部１５０の形状は、矩形形状でもよい。また、折り曲げ部１５０の形状は、三角形状でもよい。
【産業上の利用可能性】
【０１２９】
本発明は、梱包材の分野に利用可能である。
【符号の説明】
【０１３０】
１      梱包材
３１ａ  第１端部
３１ｂ  第２端部
３２ｂ  先端部
１００  収容部
１１０  壁部
１２０  収容空間
１３０  孔部
１４０  縁部
１４１  上部
１４２  下部
１５０  折り曲げ部
３００  保護部材
３１０  パッド部
３２０  支柱部
４１１  第１底パッド（載置部）
Ａ      洗濯機（被梱包物）
Ｐ２    第２定位置（定位置）
Ｚ１    第１位置
Ｚ２    第２位置
Ｚ３    第３位置
Ｚ４    第４位置
【図１】
2019198317.tif 000003
【図２】
2019198317.tif 000004
【図３】
2019198317.tif 000005
【図４】
2019198317.tif 000006
【図５】
2019198317.tif 000007
【図６】
2019198317.tif 000008
【図７】
2019198317.tif 000009
【図８】
2019198317.tif 000010
【図９】
2019198317.tif 000011
【図１０】
2019198317.tif 000012
【図１１】
2019198317.tif 000013
【国際調査報告】
2019198317.tif 000014
2019198317.tif 000015
2019198317.tif 000016
2019198317.tif 000017
2019198317.tif 000018
2019198317.tif 000019
2019198317.tif 000020
2019198317.tif 000021